(57)【特許請求の範囲】
【請求項１】
静止画像をスクロール表示する表示装置であって、
画像表示手段と、
所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理手段とを備え、
前記画像データの処理手段は、
前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、
前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、
前記画像表示手段は、
前記静止画像の画像データに基づいて、前記画像データの処理手段で設定したスクロール方向に前記静止画像をスクロールさせて表示し、前記静止画像を背景に設定して前記静止画像の画像データに比して低解像度かつ低階調数のアニメーション画像を表示する
ことを特徴とする画像表示装置。
【請求項２】
前記画像データのアスペクト比が所定範囲の場合、縦方向のピクセル数が前記画像表示手段の縦方向のピクセル数と一致するように、前記画像データの横方向及び縦方向のピクセル数を補正し、該補正した画像データによる画像が横方向に繰り返すように前記静止画像の画像データを生成すると共に、スクロール方向を横方向に設定する
ことを特徴とする請求項１に記載の画像表示装置。
【請求項３】
静止画像をスクロール表示する画像表示方法であって、
前記静止画像を表示する画像表示ステップと、
所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理ステップとを有し、
前記画像データの処理ステップは、
前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、
前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、
前記画像表示ステップは、
前記静止画像の画像データに基づいて、前記画像データの処理ステップで設定したスクロール方向に前記静止画像をスクロールさせて表示し、前記静止画像を背景に設定して前記静止画像の画像データに比して低解像度かつ低階調数のアニメーション画像を表示する
ことを特徴とする画像表示方法。
【請求項４】
静止画像をスクロール表示する表示方法のプログラムであって、
前記静止画像を表示する画像表示ステップと、
所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理ステップとを有し、
前記画像データの処理ステップは、
前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、
前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、
前記画像表示ステップは、
前記静止画像の画像データに基づいて、前記画像データの処理ステップで設定したスクロール方向に前記静止画像をスクロールさせて表示し、前記静止画像を背景に設定して前記静止画像の画像データに比して低解像度かつ低階調数のアニメーション画像を表示する
ことを特徴とする画像表示方法のプログラム。
【請求項５】
静止画像をスクロール表示する表示方法のプログラムを記録した記録媒体であって、
前記表示方法のプログラムは、
前記静止画像を表示する画像表示ステップと、
所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理ステップとを有し、
前記画像データの処理ステップは、
前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、
前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、
前記画像表示ステップは、
前記静止画像の画像データに基づいて、前記画像データの処理ステップで設定したスクロール方向に前記静止画像をスクロールさせて表示し、前記静止画像を背景に設定して前記静止画像の画像データに比して低解像度かつ低階調数のアニメーション画像を表示する
ことを特徴とする画像表示方法のプログラムを記録した記録媒体。
【請求項６】
少なくとも記録媒体に記録された音楽コンテンツを再生するオーディオ装置において、
画像表示手段と、
所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理手段と、
前記音楽コンテンツのオーディオデータの周波数特性を検出する周波数特性の検出手段と、
前記音楽コンテンツの情報を取得する情報取得手段と、
ユーザーの操作により前記画像表示手段の表示モードを、ノーマルモード、スペアナモード、パノラマモードで切り換える制御手段とを備え、
前記画像表示手段は、
前記ノーマルモードにおいて、前記情報取得手段で取得した前記音楽コンテンツの情報を表示し、
前記スペアナモードにおいて、前記周波数特性の検出手段で検出した検出結果に基づいて、前記オーディオデータの各周波数帯域に設定した所定のオブジェクトを変化させて表示し、
前記パノラマモードにおいて、前記画像データによる静止画像を、前記画像データの処理手段で設定したスクロール方向にスクロールさせて表示する
ことを特徴とするオーディオ装置。
【請求項７】
少なくとも記録媒体に記録された音楽コンテンツを再生するオーディオ装置の制御方法において、
画像表示のステップと、
所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理ステップと、
前記音楽コンテンツのオーディオデータの周波数特性を検出する周波数特性の検出ステップと、
前記音楽コンテンツの情報を取得する情報取得ステップと、
ユーザーの操作により前記画像表示のステップの表示モードを、ノーマルモード、スペアナモード、パノラマモードで切り換える制御ステップとを備え、
前記画像表示ステップは、
前記ノーマルモードにおいて、前記情報取得ステップで取得した前記音楽コンテンツの情報を表示し、
前記スペアナモードにおいて、前記周波数特性の検出ステップで検出した検出結果に基づいて、前記オーディオデータの各周波数帯域に設定した所定のオブジェクトを変化させて表示し、
前記パノラマモードにおいて、前記画像データによる静止画像を、前記画像データの処理ステップで設定したスクロール方向にスクロールさせて表示する
ことを特徴とするオーディオ装置の制御方法。
【請求項８】
少なくとも記録媒体に記録された音楽コンテンツを再生するオーディオ装置の制御方法のプログラムにおいて、
画像表示のステップと、
所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理ステップと、
前記音楽コンテンツのオーディオデータの周波数特性を検出する周波数特性の検出ステップと、
前記音楽コンテンツの情報を取得する情報取得ステップと、
ユーザーの操作により前記画像表示のステップの表示モードを、ノーマルモード、スペアナモード、パノラマモードで切り換える制御ステップとを備え、
前記画像表示ステップは、
前記ノーマルモードにおいて、前記情報取得ステップで取得した前記音楽コンテンツの情報を表示し、
前記スペアナモードにおいて、前記周波数特性の検出ステップで検出した検出結果に基づいて、前記オーディオデータの各周波数帯域に設定した所定のオブジェクトを変化させて表示し、
前記パノラマモードにおいて、前記画像データによる静止画像を、前記画像データの処理ステップで設定したスクロール方向にスクロールさせて表示する
ことを特徴とするオーディオ装置の制御方法のプログラム。
【請求項９】
少なくとも記録媒体に記録された音楽コンテンツを再生するオーディオ装置の制御方法のプログラムを記録した記録媒体において、
前記プログラムは、
画像表示のステップと、
所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理ステップと、
前記音楽コンテンツのオーディオデータの周波数特性を検出する周波数特性の検出ステップと、
前記音楽コンテンツの情報を取得する情報取得ステップと、
ユーザーの操作により前記画像表示のステップの表示モードを、ノーマルモード、スペアナモード、パノラマモードで切り換える制御ステップとを備え、
前記画像表示ステップは、
前記ノーマルモードにおいて、前記情報取得ステップで取得した前記音楽コンテンツの情報を表示し、
前記スペアナモードにおいて、前記周波数特性の検出ステップで検出した検出結果に基づいて、前記オーディオデータの各周波数帯域に設定した所定のオブジェクトを変化させて表示し、
前記パノラマモードにおいて、前記画像データによる静止画像を、前記画像データの処理ステップで設定したスクロール方向にスクロールさせて表示する
ことを特徴とするオーディオ装置の制御方法のプログラムを記録した記録媒体。
【発明の詳細な説明】
【０００１】
【発明の属する技術分野】
本発明は、画像表示装置、画像表示方法、画像表示方法のプログラム等に関し、例えばカーオーディオ装置に適用することができる。本発明は、高画質の静止画像の上に、アニメーションによる低画質の画像を表示することにより、または静止画像のアスペクト比に応じた方向にスクロール方向を設定して、静止画像をスクロールさせて表示することにより、少ないファイルサイズで動きのある画像を表示することができるようにする。
【０００２】
【従来の技術】
従来、カーオーディオ装置においては、液晶表示パネル等の表示機構により、現在再生中の曲の情報等を提供するようになされ、これにより使い勝手を向上するようになされている。
【０００３】
すなわち例えばディスク状記録媒体であるコンパクトディスクにおいては、最内周のＴＯＣ（Table Of Contents ）に、記録された各曲を順次特定するトラック番号、各曲の記録時間等が記録されるようになされている。これによりカーオーディオ装置においては、例えば現在再生中の曲のトラック番号、この曲の再生開始からの再生時間、この曲の残り時間、アーティスト名等を表示するようになされている。なお以下において、このようなコンテンツに関する各種の情報をコンテンツの情報と呼ぶ。
【０００４】
またユーザーの操作により、このようなコンテンツの情報の表示に代えて、スペクトルアナライザの形式により信号レベルを画像表示したり、音量を画像表示し、これによりこのような曲の情報の提供に供する表示機構を有効に利用して、音場の雰囲気を盛り上げるようになされている。
【０００５】
【発明が解決しようとする課題】
ところでこの種のカーオーディオ装置に、従来に比して表現力の高い、高性能の表示機構を適用すれば、さらに一段と使い勝手を向上することができると考えられる。
【０００６】
具体的に、この種の表示機構にＴＦＴ（Thin Film Transistor）液晶表示パネルを適用すれば、この種のカーオーディオ装置に適用される従来の表示機構に比して格段的に解像度、階調数を増大させることができ、その分、表現力も格段的に向上する。これによりこの表現力を有効に利用して、曲の情報提供、再生中の音量等の情報提供に関して、ユーザーの個性を生かした各種の形態によりこの種の情報を提供できると考えられる。またこのような曲の情報提供、再生中の音量等の情報提供に代えて、例えば壁紙の表示にも利用することができ、これによってもユーザーの個性を反映し、さらには音場の雰囲気を盛り上げることができると考えられる。
【０００７】
特に、このような高い表現力を有する表示機構を使用する場合にあっては、このような壁紙として動画を表示することも考えられ、このように動画を表示できるようにすれば携帯電話の着信メロディーのように、さらに個性を発揮したより楽しい表示を形成できると考えられる。
【０００８】
しなしながらこのように動画を表示する場合に、表示機構の高い表示能力を十分に生かすような動画にあっては、データ圧縮率を高くすることが困難であることにより、その分、動画の保持に大容量のメモリが必要になる問題がある。
【０００９】
本発明は以上の点を考慮してなされたもので、この種の装置に適用して、少ないファイルサイズで動きのある画像を表示することができる画像表示装置、画像表示方法、画像表示方法のプログラム等を提案しようとするものである。
【００１０】
【課題を解決するための手段】
かかる課題を解決するため請求項１の発明においては、画像表示装置に適用して、画像表示手段と、所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理手段とを備え、前記画像データの処理手段は、前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、前記画像表示手段は、前記静止画像の画像データに基づいて、前記画像データの処理手段で設定したスクロール方向に前記静止画像をスクロールさせて表示し、前記静止画像を背景に設定して前記静止画像の画像データに比して低解像度かつ低階調数のアニメーション画像を表示する。
【００１１】
また請求項３の発明においては、画像表示方法に適用して、前記静止画像を表示する画像表示ステップと、所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理ステップとを有し、前記画像データの処理ステップは、前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、前記画像表示ステップは、前記静止画像の画像データに基づいて、前記画像データの処理ステップで設定したスクロール方向に前記静止画像をスクロールさせて表示し、前記静止画像を背景に設定して前記静止画像の画像データに比して低解像度かつ低階調数のアニメーション画像を表示する。
【００１２】
また請求項４の発明においては、静止画像をスクロール表示する表示方法のプログラムに適用して、前記静止画像を表示する画像表示ステップと、所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理ステップとを有し、前記画像データの処理ステップは、前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、前記画像表示ステップは、前記静止画像の画像データに基づいて、前記画像データの処理ステップで設定したスクロール方向に前記静止画像をスクロールさせて表示し、前記静止画像を背景に設定して前記静止画像の画像データに比して低解像度かつ低階調数のアニメーション画像を表示する。
【００１３】
また請求項５の発明においては、静止画像をスクロール表示する表示方法のプログラムを記録した記録媒体に適用して、前記表示方法のプログラムは、前記静止画像を表示する画像表示ステップと、所定の記録媒体に記録された画像データの横方向及び縦方向のピクセル数を検出し、前記横方向及び縦方向のピクセル数により前記画像データのアスペクト比を判定し、該判定結果に基づいて前記静止画像のスクロール方向を設定する画像データの処理ステップとを有し、前記画像データの処理ステップは、前記画像データのアスペクト比が所定のアスペクト比より横長の場合、縦方向のピクセル数が前記画像表示手段の縦方向のピクセル数と一致するように、前記画像データの横方向及び縦方向のピクセル数を補正して前記静止画像の画像データを生成すると共に、スクロール方向を横方向に設定し、前記画像データのアスペクト比が所定のアスペクト比より縦長の場合、横方向のピクセル数が前記画像表示手段の横方向のピクセル数と一致するように、前記画像データの横方向及び縦方向のピクセル数を補正して前記静止画像の画像データを生成すると共に、スクロール方向を縦方向に設定し、前記画像表示ステップは、前記静止画像の画像データに基づいて、前記画像データの処理ステップで設定したスクロール方向に前記静止画像をスクロールさせて表示し、前記静止画像を背景に設定して前記静止画像の画像データに比して低解像度かつ低階調数のアニメーション画像を表示する。
【００１４】
また請求項６の発明においては、少なくとも記録媒体に記録された音楽コンテンツを再生するオーディオ装置に適用して、画像表示手段と、所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理手段と、前記音楽コンテンツのオーディオデータの周波数特性を検出する周波数特性の検出手段と、前記音楽コンテンツの情報を取得する情報取得手段と、ユーザーの操作により前記画像表示手段の表示モードを、ノーマルモード、スペアナモード、パノラマモードで切り換える制御手段とを備え、前記画像表示手段は、前記ノーマルモードにおいて、前記情報取得手段で取得した前記音楽コンテンツの情報を表示し、前記スペアナモードにおいて、前記周波数特性の検出手段で検出した検出結果に基づいて、前記オーディオデータの各周波数帯域に設定した所定のオブジェクトを変化させて表示し、前記パノラマモードにおいて、前記画像データによる静止画像を、前記画像データの処理手段で設定したスクロール方向にスクロールさせて表示する。
【００１５】
また請求項７の発明においては、少なくとも記録媒体に記録された音楽コンテンツを再生するオーディオ装置の制御方法に適用して、画像表示のステップと、所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理ステップと、前記音楽コンテンツのオーディオデータの周波数特性を検出する周波数特性の検出ステップと、前記音楽コンテンツの情報を取得する情報取得ステップと、ユーザーの操作により前記画像表示のステップの表示モードを、ノーマルモード、スペアナモード、パノラマモードで切り換える制御ステップとを備え、前記画像表示ステップは、前記ノーマルモードにおいて、前記情報取得ステップで取得した前記音楽コンテンツの情報を表示し、前記スペアナモードにおいて、前記周波数特性の検出ステップで検出した検出結果に基づいて、前記オーディオデータの各周波数帯域に設定した所定のオブジェクトを変化させて表示し、前記パノラマモードにおいて、前記画像データによる静止画像を、前記画像データの処理ステップで設定したスクロール方向にスクロールさせて表示する。
【００１６】
また請求項８の発明においては、少なくとも記録媒体に記録された音楽コンテンツを再生するオーディオ装置の制御方法のプログラムに適用して、画像表示のステップと、所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理ステップと、前記音楽コンテンツのオーディオデータの周波数特性を検出する周波数特性の検出ステップと、前記音楽コンテンツの情報を取得する情報取得ステップと、ユーザーの操作により前記画像表示のステップの表示モードを、ノーマルモード、スペアナモード、パノラマモードで切り換える制御ステップとを備え、前記画像表示ステップは、前記ノーマルモードにおいて、前記情報取得ステップで取得した前記音楽コンテンツの情報を表示し、前記スペアナモードにおいて、前記周波数特性の検出ステップで検出した検出結果に基づいて、前記オーディオデータの各周波数帯域に設定した所定のオブジェクトを変化させて表示し、前記パノラマモードにおいて、前記画像データによる静止画像を、前記画像データの処理ステップで設定したスクロール方向にスクロールさせて表示する。
【００１７】
また請求項８の発明においては、少なくとも記録媒体に記録された音楽コンテンツを再生するオーディオ装置の制御方法のプログラムを記録した記録媒体に適用して、前記プログラムは、画像表示のステップと、所定の記録媒体に記録された画像データの横方向及び縦方向のピクセル数を検出し、前記横方向及び縦方向のピクセル数により前記画像データのアスペクト比を判定し、該判定結果に基づいて前記画像データによる画像のスクロール方向を設定する画像データの処理ステップと、前記音楽コンテンツのオーディオデータの周波数特性を検出する周波数特性の検出ステップと、前記音楽コンテンツの情報を取得する情報取得ステップと、ユーザーの操作により前記画像表示のステップの表示モードを、ノーマルモード、スペアナモード、パノラマモードで切り換える制御ステップとを備え、前記画像表示ステップは、前記ノーマルモードにおいて、前記情報取得ステップで取得した前記音楽コンテンツの情報を表示し、前記スペアナモードにおいて、前記周波数特性の検出ステップで検出した検出結果に基づいて、前記オーディオデータの各周波数帯域に設定した所定のオブジェクトを変化させて表示し、前記パノラマモードにおいて、前記画像データによる静止画像を、前記画像データの処理ステップで設定したスクロール方向にスクロールさせて表示する。
【００１８】
請求項１、請求項３、請求項４又は請求項５の構成によれば、画質の劣化を知覚し易い背景等の部分については、静止画像により高解像度、高階調により表示し、画質の劣化を知覚し難い動きのある部分については、低解像度、低階調数のアニメーション画像により表示して、全体として少ないファイルサイズにより、全体として見た場合に、高画質で動きのある画像を表示することができる。またいちいちスクロール方向を指示しなくても、画像作成者の意図を察して、適宜スクロール方向を切り換えて違和感無く動きのある画像を表示することができ、これによっても少ないファイルサイズにより動きのある画像を提供することができる。
【００２１】
【発明の実施の形態】
以下、適宜図面を参照しながら本発明の実施の形態を詳述する。
【００２２】
（１）第１の実施の形態
（１−１）全体構成
図１は、本発明の実施の形態に係るカーオーディオ装置を示すブロック図である。このカーオーディオ装置１は、いわゆる１ＤＩＮの大きさにより形成され、ダッシュボードに配置されるようになされている。なおここでＤＩＮは、この種のカーオーディオ装置の高さを示す単位であり、これによりカーオーディオ装置１は、横幅に対して１／３以下の厚さにより形成されるようになされ、その分、表示パネル等を配置する部位においても、横長になるようになされている。
【００２３】
このカーオーディオ装置１は、ＦＭ放送等を試聴できるように構成され、またコンパクトディスク、メモリカード２により提供されるオーディオ信号を試聴できるようになされている。なおここでメモリカード２は、板ガム形状の小型メモリカードである。
【００２４】
すなわちこのカーオーディオ装置１において、カードユニット３は、このメモリカード２とのインターフェース、表示機構を構成するユニットである。本体ユニット４は、各種放送波を受信して、またコンパクトディスクを再生してオーディオデータを得、これらのオーディオデータ、カードユニット３を介してメモリカード２より得られるオーディオデータを選択的に処理してスピーカＳＰを駆動する。
【００２５】
この本体ユニット４において、コンパクトディスク部（ＣＤ部）５は、コンパクトディスクの処理に係るブロックであり、中央処理ユニット（ＣＰＵ）６の制御により、コンパクトディスクの装填、排出の処理を実行し、またコンパクトディスクを所定速度で回転駆動してコンパクトディスクに記録されたオーディオデータ、ＴＯＣのデータ、サブコードのデータを再生して出力する。チュナー部（ＴＵ部）７は、中央処理ユニット６の制御により、ＦＭ放送波、中波の放送波を受信し、その受信結果によるオーディオデータを中央処理ユニット６に出力する。
【００２６】
中央処理ユニット６は、このカーオーディオ装置１全体の動作を制御するコントローラであり、操作パネル等に配置された操作子８の操作により、また図示しないリモートコマンダからの指示により、さらには液晶表示パネル１５に設けられたタッチパネルの操作により、コンパクトディスク部５、チュナー部７、電子ボリューム（電子ＶＲ）９、カードユニット３等の動作を切り換える。すなわち中央処理ユニット６は、ユーザーによりコンパクトディスクの再生が指示されると、コンパクトディスク部５にコンパクトディスクの再生を指示し、ＴＯＣのデータを取得する。さらにユーザーの操作に応動して、このＴＯＣのデータに基づいて、順次、コンパクトディスクの再生をコンパクトディスク部５に指示し、その結果得られるオーディオデータを続く電子ボリューム９に出力すると共に、サブコードのデータを取得する。
【００２７】
またこれに代えてユーザーによりラジオ放送の受信が指示されると、チュナー部７にユーザーの所望する放送波の受信を指示し、またその結果得られる放送波によるオーディオデータを続く電子ボリューム９に入力する。またユーザーによりメモリカード２に記録されたオーディオデータの再生が指示されると、カードユニット３を介してメモリカード２からオーディオデータを管理する管理用データを取得する。なおここでこの管理用データにおいては、コンパクトディスクにおけるＴＯＣのデータと同様に、トラック番号に相当する番号、各曲の記録位置、演奏時間の情報、曲名等の情報により構成される。中央処理ユニット６は、このようにして取得した管理用データを基準にして、ユーザーの操作に応動して、カードユニット３を介してメモリカード２からオーディオデータを順次取得する。中央処理ユニット６は、このようにして取得したオーディオデータをデコードし、続く電子ボリューム９に出力する。これらの処理において、中央処理ユニット６は、ユーザーにより音量、周波数特性を変更する操作が実行されると、電子ボリュームにこれらの変更を指示する。
【００２８】
また中央処理ユニット６は、ユーザーにより表示を切り換える指示が得られると、この指示をカードユニット３に通知する。またこの表示の切り換えにより、ユーザーが後述するスペアナモードによる表示を指示した場合、解析部１０にオーディオデータの解析を指示する。
【００２９】
また中央処理ユニット６は、同様の操作子８等の操作により、ユーザーがメモリカード２に記録された画像データのアップロード等を指示すると、この処理に係る一連の指示を受け付け、これらの指示をカードユニット３に通知する。これによりこのカーオーディオ装置１では、ユーザーの好みの画像を表示できるようになされている。
【００３０】
電子ボリューム９は、中央処理ユニット６の制御により、中央処理ユニット６を介して入力されるオーディオデータを演算処理することにより、このオーディオデータの周波数特性を補正し、音量を可変して出力する。電子ボリューム９は、このような処理において、単に周波数特性だけを補正してなるオーディオデータを解析部１０に出力するようになされている。
【００３１】
解析部１０は、中央処理ユニット６の制御により動作を立ち上げ、電子ボリューム９より出力される周波数特性だけを補正してなるオーディオデータを入力し、周波数特性の解析結果をカードユニット３に通知する。すなわち解析部１０は、電子ボリューム９より入力される右チャンネル及び左チャンネルのオーディオデータを加算してモノラルのオーディオデータを生成する。さらにこのオーディオデータをバンドパスフィルタにより所定の帯域に分割し、各帯域毎に信号レベルを検出する。これにより解析部１０は、再生対象のオーディオデータについて、周波数解析による信号レベル検出果をカードユニット３に出力するようになされている。
【００３２】
信号処理回路１１は、周波数特性、音量が補正されてなるオーディオデータを電子ボリューム９より受け、このオーディオデータをディジタルアナログ変換処理してアナログ信号によるオーディオ信号を生成する。信号処理回路１１は、このオーディオ信号により内蔵の電力増幅回路を駆動し、この電力増幅回路の出力信号をこのカーオーディオ装置１に接続されてなるスピーカＳＰに出力する。
【００３３】
これらによりこのカーオーディオ装置１では、コンパクトディスク、メモリカード２によるコンテンツを試聴し、またラジオ放送を試聴できるようになされている。
【００３４】
カードユニット３において、液晶表示パネル（ＬＣＤ）１５は、ＴＦＴ液晶表示パネルであり、このカーオーディオ装置の正面パネルに操作子８等と共に配置され、これによりこのカーオーディオ装置１では、従来に比して格段的に高解像度、高階調による高い表現力により各種の画像を表示できるようになされている。かくするにつきこのカーオーディオ装置１が１ＤＩＮであることにより、この表示パネル１５は、横長に形成されて、通常の陰極線管等による表示に対して、アスペクト比が大きく異なる横長の表示画像を形成するようになされている。
【００３５】
ＬＣＤコントローラ１６は、ディスプレイコントローラ１７より出力される画像データに応じて液晶表示パネル１５の動作を制御することにより、この画像データによる画像を液晶表示パネル１５に表示する。
【００３６】
ディスプレイコントローラ１７は、バスＢＵＳを介して中央処理ユニット（ＣＰＵ）１８からの指示を受け、各種の画像処理を実行し、その処理結果である画像データをＬＣＤコントローラ１６に出力する。
【００３７】
メモリカードコントローラ１９は、メモリカード２のインターフェースであり、バスＢＵＳを介して入力される中央処理ユニット１８の指示により、メモリカード２に記録された画像データ、オーディオデータ、管理用データをバスＢＵＳに出力する。
【００３８】
メモリ２０は、中央処理ユニット１８の制御により、このようにしてメモリカードコントローラ１９よりバスＢＵＳに出力される各種のデータのうち、画像データを選択的に取得して記録する。
【００３９】
ビデオＲＡＭ（ＶＲＡＭ）２１は、中央処理ユニット１８によりデコードされた画像データを記録して保持し、またこの保持した画像データをディスプレイコントローラ１７に出力する。
【００４０】
中央処理ユニット１８は、本体ユニット４の中央処理ユニット６の制御により、このカードユニット３の動作を制御するコントローラである。すなわち中央処理ユニット６によりメモリカード２に記録されたオーディオデータのアクセスが指示されると、メモリカードコントローラ１９の動作の制御により、メモリカード２に記録されたオーディオデータを順次バスＢＵＳを介して取得し、このオーディオデータを本体ユニット４に出力する。
【００４１】
このとき中央処理ユニット１８は、メモリカード２より取得した管理用データにより、現在再生中のトラック番号、演奏時間、演奏者等の情報を取得する。またコンパクトディスクを再生している場合には、中央処理ユニット６との間のデータ通信により、コンパクトディスクから再生されるＴＯＣのデータ、サブコードのデータからこれらの情報を取得する。中央処理ユニット１８は、ディスプレイコントローラ１７の動作の制御により、これらコンテンツの情報を必要に応じて液晶表示パネル１５に表示するようになされている。
【００４２】
また中央処理ユニット１８は、中央処理ユニット６より画像データのダウンロードが指示されると、同様のメモリカードコントローラ１９の制御により、メモリカード２に記録された画像データをバスＢＵＳに出力し、メモリ２０に記録する。またこのようにして記録した画像データの選択を受け付け、この選択によりメモリ２０に保持した対応する画像データをデコードしてビデオＲＡＭ２１に展開し、このビデオＲＡＭ２１の画像データによる表示をディスプレイコントローラ１７に指示する。
【００４３】
このような表示において、中央処理ユニット１８は、中央処理ユニット６からの操作子８、リモートコマンダの操作等の通知により、ユーザーによる表示モードの設定を受け付け、この表示モードにより表示画像を形成するように、ディスプレイコントローラ１７の動作を制御する。
【００４４】
すなわちこの実施の形態において、カーオーディオ装置１は、このようなメモリ２０へのアップロード可能な画像データとして、データ圧縮された静止画像の画像データであるＪＰＥＧ（Joint Photographic Coding Experts Group ）の画像データ、データ圧縮された動画の画像データであるＭＰＥＧ（Moving Picture Experts Group）の画像データ、階調の低いアニメーションの画像データであるＧＩＦ（Graphic Interchange Format）の画像データが適用されるようになされている。また後述するパノラマモードにおけるアニメーション表示に適用するテキストデータである、これらの画像データ間の関連を指示するテキストデータを併せてダウンロードできるようになされている。
【００４５】
中央処理ユニット１８は、操作子８、リモートコマンダ等の操作に応動した中央処理ユニット６による通知により、拡張子、ファイル名を基準にしてメモリカード２をアクセスしてダウンロード可能なファイル名を液晶表示パネル１５に表示する。またこのようにしてダウンロード可能なファイル名を表示して、ユーザーの選択によりダウンロードが指示されると、メモリカードコントローラ１９の制御によりメモリカード２に記録された対応する画像データ等をメモリ２０にダウンロードする。
【００４６】
また同様に、表示モードを特定してユーザーにより画像の更新が指示されると、同様の、拡張子、ファイル名を基準にしたメモリ２０のアクセスにより、変更可能なファイル名を表示し、この表示によるユーザーの選択により、対応する画像データをデコードしてＶＲＡＭ２１に展開する。なおメモリ２０には、このようにメモリカード２からダウンロードした画像データに加えて、ディフォルトによる画像データが事前に記録されるようになされている。これによりユーザーにおいては、この事前にメモリ２０に記録されてなる画像データによる画像、メモリカード２からダウンロードしてなる画像データによる画像の何れかを選択して表示できるようになされている。これによりこのカーオーディオ装置１では、必要に応じてユーザーの所望する壁紙等を表示できるようになされ、ユーザーの好みに応じてカスタマイズできるようになされている。
【００４７】
ここでこのカーオーディオ装置１では、操作子８の操作により、又はリモートコマンダ等の操作により、５種類の表示モードを選択できるようになされている。また同様の操作により、各表示モードにおいて、メモリ２０に記録してなる画像データより、表示に供する画像データを選択できるようになされている。
【００４８】
ここでこの５種類の表示モードは、ノーマルモード、シンクロモード、スペアナモード、パノラマモード、フルモーションモードである。このうちノーマルモードは、図２に示すように、所定の壁紙上に、再生対象の媒体を示すマーク（メモリカードの場合にはＭＳの表示であり、コンパクトディスクの場合ＣＤの表示である）、トラック番号、演奏時間の情報、アーティスト名の情報によるコンテンツの情報を大きく表示するモードである。
【００４９】
これに対してシンクロモードは、図３に示すように、ユーザーにより指定された画像データにより壁紙を表示し、この壁紙の表示を邪魔しないように、ユーザーの指示によりコンテンツの情報を表示するモードである。メモリ２０にダウンロードしたＪＰＥＧによる画像データ、メモリ２０に事前に記録されてなるＪＰＥＧの画像データが適用される。
【００５０】
またスペアナモードは、解析部１０による解析結果に基づいて、図４に示すように、複数の３次元物体形状であるオブジェクトＯを変化させて表示するモードであり、このオブジェクトの変化により再生中しているオーディオデータの周波数特性を表示するものである。中央処理ユニット１８は、このスペアナモードにおいては、単位時間当たりのオブジェクトの変化量を解析部１０から得られる解析結果により計算し、この計算結果によりディスプレイコントローラ１７に各周波数帯域に対応するオブジェクトの変化を指示する。この実施の形態においては、この各帯域の信号レベルが大きい程、各オブジェクトの透明度が低下し、矢印Ａにより示す各オブジェクトの回転について、回転速度が増大するように、ディスプレイコントローラ１７において、各オブジェクトに対する視点が変化してなる画像データが形成され、さらには透明度が変化してなるように、この画像データと背景の画像データとが重み付け加算処理される。またこのような各オブジェクトにおいては、陰面処理、シェーディング処理されるようになされている。
【００５１】
またパノラマモードは、図５に示すように、矢印Ｂにより壁紙の変化を示すように、壁紙をエンドレスでスクロールさせて表示するモードである。メモリ２０にダウンロードしたＪＰＥＧによる画像データ、メモリ２０に事前に記録されてなるＪＰＥＧの画像データが適用される。またメモリ２０にこれらの画像データと関連付けられて、ＧＩＦの画像データ、テキストデータが記録されている場合には、これらのデータも表示に適用され、これにより簡易に動きのある画像を表示できるようになされている。これに対してフルモーションモードは、ＭＰＥＧによる画像データを表示するモードであり、メモリ２０にダウンロードしたＭＰＥＧによる画像データ、メモリ２０に事前に記録されてなるＭＰＥＧの画像データが適用される。
【００５２】
これらによりこのカーオーディオ装置１では、好みに応じて液晶表示パネル１５による表示を切り換えることができるようになされている。なお中央処理ユニット１８は、これら表示モードの切り換え等においては、適宜対応するメニュー画面を表示して操作を受け付けるようになされている。
【００５３】
（１−２）パノラマモード
図６は、パノラマモードに係る中央処理ユニット１８の処理手順を示すフローチャートである。中央処理ユニット１８は、この処理手順をユーザーによるパノラマモードによる表示の指示により実行する。
【００５４】
すなわち中央処理ユニット１８は、ユーザーによりパノラマモードに設定されると、ステップＳＰ２に移り、ユーザーにより選択された表示対象の画像データであるＪＰＥＧによる画像データをメモリ２０から読み出してデコードし、ビデオＲＡＭ２１に格納する。
【００５５】
続いて中央処理ユニット１８は、ステップＳＰ３に移り、このビデオＲＡＭ２１に格納した画像データについて、横方向及び縦方向のピクセル数を検出し、この検出結果によりこの画像データのアスペクト比を検出する。さらに中央処理ユニット１８は、このようにして検出したアスペクト比を判定し、この判定結果によりスクロールの方向を設定する。
【００５６】
ここでこの実施の形態において、液晶表示パネル１５のピクセル数は、４００×９６ドットである。中央処理ユニット１８は、ビデオＲＡＭ２１に展開した画像データの縦横比において、縦１に対して横が４以上の場合、このビデオＲＡＭ２１に展開した画像データにおいては、液晶表示パネル１５のアスペクト比に比して横長であり、この画像の作成者が明らかに横方向へのスクロールを意図したものと判断できることにより、ステップＳＰ３からステップＳＰ４に移る。
【００５７】
ここで中央処理ユニット１８は、この画像データについては、スクロールの方向を横方向に設定した後、ステップＳＰ５に移り、このビデオＲＡＭ２１に記録した画像データを液晶表示パネルの大きさに対応する大きさにリサイズする。中央処理ユニット１８は、垂直方向及び水平方向の補間演算処理により、縦方向のピクセル数が液晶表示パネル１５の縦方向のピクセル数に一致するように、ビデオＲＡＭ２１に記録した画像データによる画像を拡大縮小してリサイズした後、ステップＳＰ６に移ってこの処理手順を終了する。
【００５８】
これにより中央処理ユニット１８は、図７に示すように、このビデオＲＡＭ２１に展開した画像データが横長の画像の場合、横方向にスクロールさせて画像データを表示するようになされている。
【００５９】
これに対して中央処理ユニット１８は、ビデオＲＡＭ２１に展開した画像データの縦横比において、縦１に対して横が１以下の場合、このビデオＲＡＭ２１に展開した画像データにおいては、液晶表示パネル１５のアスペクト比に比して縦長であり、この画像の作成者が明らかに縦方向へのスクロールを意図したものと判断できることにより、ステップＳＰ３からステップＳＰ７に移る。
【００６０】
ここで中央処理ユニット１８は、この画像データについては、スクロールの方向を縦方向に設定した後、ステップＳＰ８に移り、このビデオＲＡＭ２１に記録した画像データを液晶表示パネルの大きさに対応する大きさにリサイズする。中央処理ユニット１８は、垂直方向及び水平方向の補間演算処理により、横方向のピクセル数が液晶表示パネル１５の横方向のピクセル数に一致するように、ビデオＲＡＭ２１に記録した画像データによる画像を拡大縮小してリサイズした後、ステップＳＰ６に移ってこの処理手順を終了する。
【００６１】
これにより中央処理ユニット１８は、図８に示すように、このビデオＲＡＭ２１に展開した画像データが縦長の画像の場合、縦方向にスクロールさせて画像データを表示するようになされている。
【００６２】
これに対してビデオＲＡＭ２１に展開した画像データの縦横比において、縦１に対して横が１から４の範囲の場合、中央処理ユニット１８は、ステップＳＰ３からステップＳＰ９に移る。すなわちこのようなアスペクト比が極端に縦長、横長で無い場合、この画像データによる画像においては、通常のアスペクト比４：３による表示機構に適用される画像の場合、さらにはこの画像の作成者がスクロール方向を明確に意図しないで作成した場合、さらにはこのような作成者によるスクロール方向が明確にアスペクト比に表れていない場合と考えられる。
【００６３】
このカーオーディオ装置１においては、液晶表示パネル１５の表示画面が通常のアスペクト比４：３の表示機構より横長であることにより、横方向にスクロースさせた方が、より安定感のある動きを形成できると考えられる。これにより中央処理ユニット１８は、この場合、ステップＳＰ９において、スクロール方向を横方向に設定した後、ステップＳＰ１０に移る。
【００６４】
ここで中央処理ユニット１８は、このビデオＲＡＭ２１に記録した画像データを液晶表示パネルの大きさに対応する大きさにリサイズする。中央処理ユニット１８は、垂直方向及び水平方向の補間演算処理により、縦方向のピクセル数が液晶表示パネル１５の縦方向のピクセル数に一致するように、ビデオＲＡＭ２１に記録した画像データによる画像を拡大縮小してリサイズする。さらにこのように縦方向にピクセル数が一致するようにして、横方向のピクセル数を液晶表示パネル１５のピクセル数と比較し、必要に応じてタイリングの処理を実行する。中央処理ユニット１８は、図９（Ａ）及び（Ｂ）に示すように、このビデオＲＡＭ２１に格納した画像データによる画像（図９（Ａ））を横方向に繰り返し、この繰り返しによる画像全体の横方向のピクセル数が液晶表示パネル１５の横方向のピクセル数以上となるように、ビデオＲＡＭ２１に画像データを展開し直す。
【００６５】
これにより中央処理ユニット１８は、このように表示対象の画像が中途半端なアスペクト比の場合、横方向に同一画像を繰り返し、横方向にスクロールするように設定し、ステップＳＰ６に移ってこの処理手順を終了する。
【００６６】
図１０は、このようにしてスクロール方向を設定した後における中央処理ユニット１８の処理手順を示すフローチャートである。中央処理ユニット１８は、この処理手順において、ステップＳＰ１１からステップＳＰ１２に移り、ビデオＲＡＭ２１に展開した画像データに関連するファイルをメモリ２０より検索する。ここで中央処理ユニット１８は、ビデオＲＡＭ２１に展開した画像データと同一のファイル名であって、拡張子がＧＩＦ及びＴＸＴであるＧＩＦの画像データ及びテキストデータを検索することにより、このステップＳＰ１２の処理を実行する。
【００６７】
続いて中央処理ユニット１８は、ステップＳＰ１３に移り、このような関連するファイルが検出されたか否か判断し、ここで否定結果が得られると、ステップＳＰ１４に移る。ここで中央処理ユニット１８は、ビデオＲＡＭ２１に展開した画像データによる画像について、図６について上述して設定したスクロール方向に一定のスクロール速度によりスクロールさせて表示するように、ディスプレイコントローラ１７に描画を指示した後、ステップＳＰ１５に移ってこの処理手順を終了する。
【００６８】
これによりこの実施の形態においては、ディスプレイコントローラ１７により、指定されたスクロール方向、スクロール速度により順次アドレスデータが更新されてビデオＲＡＭ２１に格納された画像データが読み出され、ＬＣＤコントローラ１６の駆動によりこのビデオＲＡＭ２１に格納された静止画像がスクロールされて表示されるようになされている。
【００６９】
これに対してステップＳＰ１３で肯定結果が得られると、中央処理ユニット１８は、ステップＳＰ１３からステップＳＰ１６に移る。ここで中央処理ユニット１８は、テキストの記述により、このビデオＲＡＭ２１に展開した画像データの処理を検出する。
【００７０】
ここでこの実施の形態においては、このテキストデータにより上述したスクロールの停止、この静止画像上に表示するＧＩＦファイルによる画像表示位置が記述されるようになされている。中央処理ユニット１８は、これによりテキストデータの記述を検出し、この検出結果により必要に応じて続くステップＳＰ１７において、ＧＩＦファイルをメモリ２０から読み出してビデオＲＡＭ２１に展開する。
【００７１】
中央処理ユニット１８は、続くステップＳＰ１８において、このようにテキストデータの記述に応じた描画をディスプレイコントローラ１７に指示する。具体的に、中央処理ユニット１８は、テキストデータにＧＩＦファイルによる画像データの表示位置のみ記述されている場合、図１１に示すように、図６で設定したスクロール方向にＪＰＥＧによる背景画像をスクロールされるように、ビデオＲＡＭ２１に展開されたＪＰＥＧによる画像データの処理を指示する。またこのとき、ＧＩＦファイルによる静止画像を、ＪＰＥＧによる静止画像上において、テキストデータにより指示される位置に表示するように、またＧＩＦファイルに格納された複数枚の静止画像をＧＩＦファイルの記述に従って順次エンドレスにより表示するように、ＧＩＦファイルによる画像データをキー信号にしてＧＩＦファイルの画像データとＪＰＥＧによる画像データをキーイングするように、これら画像データの処理を指示する。
【００７２】
これにより図１１に示す表示画面においては、ＪＰＥＧによる高解像度、高階調の静止画像による背景が右から左方向にスクロールしながら、ＧＩＦによる解像度、階調の低い静止画像のコマ送りのアニメーション画像が所定位置に表示され、全体として動きのある画像を表示するようになされている。かくするにつきこのように単にスクロールするだけの背景等の静止画像にあっては、動画に比して、画質の劣化が知覚され易い特徴がある。これに対してＧＩＦファイルを割り当てた個所のように動きのある画像にあっては、静止画に比して画質の劣化を知覚し難い特徴がある。これによりこの実施の形態のように、背景にはＪＰＥＧフォーマットによる画像データを割り当てて、高解像度、高階調の画像を表示し、動きのある部分には、階調数が２５６階調である低階調、低解像度によるＧＩＦファイルを割り当てることにより、全体として少ないデータ量により、高画質の動きのある画像を提供することができる。
【００７３】
これに対してさらにテキストデータに静止画像のスクロールの禁止が記述されている場合、中央処理ユニット１８は、ディスプレイコントローラ１７にＪＰＥＧによる静止画像を中止して、同様の処理を実行するように、描画を指示する。これにより図１２（Ａ）及び（Ｂ）に示すように、このカーオーディオ装置１では、例えば夕日に染まる草原をＪＰＥＧによる静止画像により表示し、この静止画像を背景にして、動物が草を食んでなる動きのある画像を表示できるようになされている。
【００７４】
かくするにつき中央処理ユニット１８は、このようにしてディスプレイコントローラ１７に描画を指示すると、ステップＳＰ１５に移ってこの処理手順を終了する。
【００７５】
（２）実施の形態の動作
以上の構成において、このカーオーディオ装置１では（図１）、ユーザーによる操作が中央処理ユニット６により検出され、この中央処理ユニット６の制御により、例えばユーザーがコンパクトディスクの再生を指示した場合、コンパクトディスク部５でコンパクトディスクが再生され、その結果得られるオーディオデータが中央処理ユニット６、電子ボリューム９を介して信号処理回路１１に入力され、この信号処理回路１１によりスピーカＳＰが駆動される。これによりこのカーオーディオ装置１では、コンパクトディスクに記録された音楽、環境音等による音響情報を楽しむことができるようになされている。
【００７６】
これに対してユーザーがラジオ放送の受信を指示した場合、チュナー部７によりユーザーの所望する放送波が受信され、その受信結果であるオーディオデータが中央処理ユニット６、電子ボリューム９を介して信号処理回路１１に入力され、この信号処理回路１１によりスピーカＳＰが駆動される。これによりこのカーオーディオ装置１では、ラジオ放送を楽しむことができるようになされている。
【００７７】
またユーザーがメモリカード２に記録された音楽の再生を指示した場合、メモリカードコントローラ１９によりメモリカード２をアクセスしてオーディオデータが取得され、このオーディオデータがバスＢＵＳ、中央処理ユニット１８を介して中央処理ユニット６に入力される。オーディオデータは、この中央処理ユニット６によりデコードされてデータ伸張された後、電子ボリューム９を介して信号処理回路１１に入力され、この信号処理回路１１によりスピーカＳＰが駆動される。これによりこのカーオーディオ装置１では、メモリカード２に記録された音楽、環境音等による音響情報を楽しむことができるようになされている。
【００７８】
またカーオーディオ装置１においては、ユーザーによりフルモーションモードによる表示モードが選択された場合には、メモリ２０に保持されてなるＭＰＥＧによる画像データが順次中央処理ユニット１８でデコードされてビデオＲＡＭ２１に格納され、このビデオＲＡＭ２１に格納された画像データによりディスプレイコントローラ１７、ＬＣＤコントローラ１６で液晶表示パネル１５が駆動され、これにより動画による画像が従来に比して格段的に解像度、階調による表現力が向上してなる液晶表示パネル１５に表示される。これによりこのカーオーディオ装置１では、ユーザーの好みにより音楽を聞きながら、さらには音楽、ラジオ放送を聞くのをやめて、液晶表示パネル１５に表示される動画を楽しむことができるようになされ、その分、従来に比して、ユーザーの個性を生かした音場を形成できるようになされ、さらにはユーザーの楽しみを増大させることができるようになされている。
【００７９】
これに対してユーザーがノーマルモードによる表示を選択した場合、このカーオーディオ装置１では、再生対象、トラック番号、演奏時間、アーティストによるコンテンツの情報が、従来のカーオーディオ装置と同様に液晶表示パネル１５に表示される（図２）。すなわちカーオーディオ装置１では、コンパクトディスクを再生する場合には、コンパクトディスク部５で再生されるＴＯＣのデータ、サブコードのデータにより、コンテンツの情報が中央処理ユニット６で取得される。カーオーディオ装置１では、このコンテンツの情報が中央処理ユニット１８に通知され、この中央処理ユニット１８によるディスプレイコントローラ１７の制御により、これらコンテンツ情報が液晶表示パネル１５に表示される。またメモリカード２を再生する場合には、メモリカード２に記録された管理用データ、オーディオデータの再生状況により、中央処理ユニット１８でこれらコンテンツの情報が取得され、この中央処理ユニット１８によるディスプレイコントローラ１７の制御により、これらコンテンツ情報が液晶表示パネル１５に表示される。これによりこのカーオーディオ装置１では、従来と同様の楽しみ方、使い勝手をユーザーに提供することができるようになされている。
【００８０】
これに対してユーザーがシンクロモードによる表示を選択した場合、このカーオーディオ装置１では、メモリ２０に保持してなるＪＰＥＧによる画像データが中央処理ユニット１８によりデコードされてビデオＲＡＭ２１に格納され、このビデオＲＡＭ２１に格納された画像データによりディスプレイコントローラ１７、ＬＣＤコントローラ１６で液晶表示パネル１５が駆動される。これにより従来に比して格段的に解像度、階調による表現力が向上してなる液晶表示パネル１５に、静止画による画像が壁紙として表示される。
【００８１】
またこのシンクロモードにおいては、再生対象、トラック番号、演奏時間、アーティストによるコンテンツの情報がノーマルモードの場合と同様に中央処理ユニット１８で取得され、このコンテンツの情報を表示する画像データが生成され、このコンテンツの情報による画像データの画像が、壁紙の上に表示される。これによりこのカーオーディオ装置１では、従来のような無機的な背景上におけるコンテンツの情報に代えて、各種の壁紙上にコンテンツの情報を表示することができ、ユーザーを飽きさせないようにすることができ、さらには楽しみを増大させることができるようになされている。
【００８２】
これに対してユーザーがスペアナモードによる表示を選択した場合、電子ボリューム９で周波数特性が補正されてなるオーディオデータが、解析部１０に入力され、ここで所定の周波数帯域毎に信号レベルが検出され、再生対象のオーディオデータについて周波数特性が検出される。さらにこの周波数特性の検出結果により、中央処理ユニット１８において、各周波数帯域毎に、単位時間におけるオブジェクトの変化量（変化速度である）が計算される。カーオーディオ装置１では、ディスプレイコントローラ１７において、この計算結果により各周波数帯域に設定したオブジェクトが変化するように、また透明度が変化するように画像データが生成され、さらにはテクスチャマッピングにより静止画像を各オブジェクトにマッピングしてなる画像データが生成され、この画像データにより液晶表示パネル１５に表示画像が形成される（図４）。
【００８３】
これによりこのカーオーディオ装置１では、従来の棒グラフ状の周波数特性の表示に代えて、オブジェクトの変化、透明度により周波数特性を表示するようになされ、これによってもユーザーの個性を生かした音場を形成できるようになされ、さらにはユーザーを飽きさせないようにして、楽しみを増大させることができるようになされている。
【００８４】
これに対してユーザーが、パノラマモードによる表示モードを選択した場合、カーオーディオ装置１では、同様にメモリ２０に保持してなるＪＰＥＧによる画像データが中央処理ユニット１８によりデコードされてビデオＲＡＭ２１に格納され、このビデオＲＡＭ２１に格納された画像データによりディスプレイコントローラ１７、ＬＣＤコントローラ１６で液晶表示パネル１５が駆動され、これにより静止画による画像が従来に比して格段的に解像度、階調による表現力が向上してなる液晶表示パネル１５に表示される。このパノラマモードによる表示においては、このようにしてビデオＲＡＭ２１から読み出されて表示に供される画像データの座標データが順次切り換えられ、これにより液晶表示パネル１５における表示において、エンドレスでスクロールするように静止画像が表示される（図３）。
【００８５】
これによりこのカーオーディオ装置１では、ユーザーの好みにより音楽を聞きながら、さらには音楽、ラジオ放送を聞くのをやめて、液晶表示パネル１５に表示される動きのある画像を楽しむことができるようになされ、その分、従来に比して、ユーザーの個性を生かした音場を形成できるようになされ、さらにはユーザーの楽しみを増大させることができるようになされている。またこの静止画像においては、エンドレスによりスクロールすることにより、ユーザーを飽きさせないようにすることができ、さらには楽しみを増大させることができるようになされている。
【００８６】
このようにして静止画像をスクロールさせて表示するにつき、このカーオーディオ装置１では、ユーザーが表示を指示した静止画像について、中央処理ユニット１８によりアスペクト比が検出され、このアスペクト比により、極端に横長の静止画像の場合、縦方向が液晶表示パネル１５の大きさに対応するようにリサイズされて、横方向にスクロールするように設定される（図６及び図７）。また同様にして極端に縦長の静止画像の場合、縦方向が液晶表示パネル１５の大きさに対応するようにリサイズされて、横方向にスクロールするように設定される（図６及び図８）。
【００８７】
すなわち横方向のスクロールにあっては、比較的、安定感のある画像を提供できるのに対し、縦方向のスクロールにあっては、迫力のある画像を提供することができる。これにより表示に供する静止画像が極端に横長、縦長の場合には、それぞれ横方向、縦方向へのスクロールを意図して画像が作成されてなると考えられる。これによりこのカーオーディオ装置１では、特に、スクロール方向を指示する制御コード等を付加しなくても、静止画像の作成者の意図したように静止画像をスクロールさせ、その分、全体構成を簡略化できるようになされている。
【００８８】
これに対して表示に供する静止画像がこのように極端に横長、縦長で無い場合、このカーオーディオ装置１では、液晶表示パネル１５の表示画面が横長であることにより、また横方向へのスクロールの方が安定感があることにより、スクロール方向が横方向に設定され、この横方向のスクロールにより静止画像全体を見て取ることができるように、縦方向が液晶表示パネル１５の大きさに対応するようにリサイズされる。またこのようにしてリサイズして、横方向に未表示の領域が形成されないように、横方向にタイリングされ、これにより複数枚の静止画像が連続してなる状態で横方向にスクロールするように表示される（図６及び図９）。
【００８９】
すなわちこのように静止画像が極端に横長、縦長で無い場合、液晶表示パネル１５に対応するようにリサイズすると、縦方向又は横方向に未表示の領域が形成される。このような未表示の領域においては、この実施の形態のように、表示エリアの大きさが限られた機器においては、ユーザーに快い印象を与えることは稀で、不快感さえ与える場合もある。しかしながらこの実施の形態のように、このような場合に、横方向に静止画像を繰り返し、安心感のある横方向に統一的にスクロールさせるようにすれば、このような不快感を与えることなく、ユーザーに心地よさを与えることができる。
【００９０】
かくするにつきこのような極端に横長、縦長で無い静止画像においては、一般的な４：３によるアスペクト比による表示機構に対応するように作成された静止画像であり、このような静止画像を見て、カーオーディオ装置の壁紙として使用したいとしてダウンロードした場合等であると考えられることにより、このように、スクロール方向を何ら指示することなく、液晶表示パネル１５に並べて表示するようにすれば、簡易に、この種の画像を取り込んで壁紙として表示することができ、その分、使い勝手を向上することができる。
【００９１】
これらによりこのカーオーディオ装置１では、限られた表示スペースで画像を表示するにつき、各種の機器より高い自由度により画像データを取り込んで表示することができる。これによりこのようなスクロールの切り換え設定方法にあっては、この実施の形態に係るカーオーディオ装置１のように、表示スペースが限られた表示機構により画像を確認する場合等に広く適用して、ユーザーにより煩雑な操作を簡略化することができる。これらによりこの実施の形態においては、静止画像をスクロールさせて、動きのある画像を提供できるようになされている。
【００９２】
またこのようにしてスクロール方向を設定した場合に、横方向のスクロールにあっては、液晶表示パネル１５による表示画面の縦方向の大きさと、表示に供する静止画像の縦方向の大きさとが一致するように、縦方向のスクロールにあっては、液晶表示パネル１５による表示画面の横方向の大きさと、表示に供する静止画像の横方向の大きさとが一致するように、静止画像の大きさを補正することにより、このように単に壁紙として静止画像を表示する場合だけでなく、限られた表示スペースでパーソナルコンピュータよりダウンロードした地図等を表示する場合に、使い勝手を格段的に向上することができる。
【００９３】
すなわちこのような画像の大きさが表示画面の大きさと一致していない場合に、このようにスクロール方向を設定して大きさを補正しないとすると、縦方向、横方向にスクロールを切り換えることが必要になる。しかしながらこの実施の形態のようにスクロール方向を設定し、これに対応するように静止画像の大きさを補正するようにすれば、単に一方向への自動的なスクロールにより、この種の静止画像による情報を確認することができる。これにより携帯電話、携帯型の個人情報端末等に適用して、使い勝手を一段と向上することができる。
【００９４】
このようにしてパノラマモードにより静止画像を表示するにつき、このカーオーディオ装置１では、このようにして表示する静止画像に対応するテキストデータ、コマ送り画像によるアニメーションであるＧＩＦファイルの有無が検出される。さらにこのようなファイルが存在する場合には、このファイルにより静止画像の表示が工夫される（図１０）。
【００９５】
すなわちテキストデータにより指定される静画像上の所定位置に、ＧＩＦファイルによるアニメーションの画像が表示され（図１１及び図１２）、これにより人間の視覚特性を有効に利用して、少ないファイルサイズにより動画のような動きのある画像が表示される。すなわち人間の視覚特性においては、単にスクロールするだけの背景のような部分にあっては、画質劣化が知覚し易いのに対し、動きのある部分では、画質劣化を知覚し難い特徴がある。これによりこの実施の形態のように、背景には高解像度、高階調の静止画像を割り当て、動きのある部分については低解像度、低階調のアニメーション画像を割り当てるようにすれば、全体として見たときに、ＭＰＥＧ等による動画のファイルに比して、格段的に少ないファイルサイズによる擬似的な動画を形成することができる。これによりこの実施の形態においては、限られたメモリ空間を有効に利用して、動きのある画像をユーザーに提供することができる。
【００９６】
カーオーディオ装置１では、このように各種表示モードにより液晶表示パネル１５に表示する画像データについては、メモリカード２からメモリ２０にダウンロードできるように構成される。これによりこのカーオーディオ装置１では、必要に応じてパーソナルコンピュータ等で取り込んだ画像データ等を壁紙等により表示することができ、これによってもユーザーの各種の要望に対応することができる。
【００９７】
（３）実施の形態の効果
以上の構成によれば、高画質の静止画像の上に、アニメーションによる低画質の画像を表示することにより、必要に応じてスクロールして、少ないファイルサイズで動きのある画像を表示することができる。
【００９８】
また静止画像のアスペクト比に応じた方向にスクロール方向を設定して、静止画像をスクロールさせて表示することによっても、少ないファイルサイズで動きのある画像を表示することができる。
【００９９】
また静止画像が横長の場合、縦方向にスクロールさせ、静止画像が縦長の場合、横方向にスクロールさせることにより、作成者の意図を反映させることができる。また各種の情報の表示に適用する場合には、限られた表示スペースで画像情報を詳細に表示することができる。
【０１００】
また静止画像が横長の場合、縦方向の大きさが表示手段による表示画面の縦方向の大きさとなるように、静止画像の大きさを補正し、静止画像が縦長の場合、横方向の大きさが表示手段による表示画面の横方向の大きさとなるように、静止画像の大きさを補正することによっても、限られた表示スペースで画像情報を詳細に表示することができる。
【０１０１】
また静止画像のアスペクト比が所定範囲の場合、縦方向の大きさが表示手段による表示画面の縦方向の大きさとなるように、静止画像の大きさを補正した後、横方向に繰り返し配置して、横方向のスクロールにより静止画像を表示することにより、この種の横長の表示画面において、安定感のある落ちついた画像を表示することができる。
【０１０２】
（４）他の実施の形態
なお上述の実施の形態においては、静止画像上にアニメーションの画像を表示して、必要に応じて背景をスクロールさせる場合について述べたが、本発明はこれに限らず、アニメーション画像側をスクロールさせてもよく、またテキストデータの記述によりアニメーション画像を移動させるようにしてもよく、さらにはテキストデータの記述を無視してランダムな位置にアニメーション画像を配置するようにしてもよい。
【０１０３】
また上述の実施の形態においては、ファイル名が同一であるテキストデータ、アニメーション画像、静止画像ファイルを組にして、静止画像上にアニメーションの画像を表示させる場合について述べたが、本発明はこれに限らず、１つの静止画像に対して複数のアニメーション画像を割り当てるようにし、これら複数のアニメーション画像を選択的に表示するようしてもよく、さらには複数のアニメーション画像を１つの静止画像上に同時に表示するようにしてもよい。
【０１０４】
また上述の実施の形態においては、静止画像のアスペクト比が所定範囲の場合、縦方向を基準にしてリサイズし、横方向にスクロールさせる場合について述べたが、本発明はこれに限らず、必要に応じて横方向を基準にしてリサイズし、縦方向にスクロールさせるようにしてもよい。またこのような処理を省略して、縦方向及び横方向にランダムにスクロールさせるようにしてもよい。
【０１０５】
また上述の実施の形態においては、縦方向及び横方向にエンドレスによりスクロールさせる場合について述べたが、本発明はこれに限らず、一方向にスクロールさせてスクロール困難となった場合に、スクロール方向を切り換えるようにしてもよい。
【０１０６】
また上述の実施の形態においては、ＧＩＦファイルによるアニメーション画像を本発明に適用する場合について述べたが、本発明はこれに限らず、ＧＩＦファイル以外の、コマ送りによる各種アニメーション画像を広く適用することができる。
【０１０７】
また上述の実施の形態においては、本発明をカーオーディオ装置に適用する場合について述べたが、本発明はこれに限らず、音楽再生機能を有してなる携帯電話、携帯型の個人情報端末等、メモリ容量、表示エリアが限られてなる各種情報機器に広く適用することができる。
【０１０８】
【発明の効果】
上述のように本発明によれば、高画質の静止画像の上に、アニメーションによる低画質の画像を表示することにより、静止画像のアスペクト比に応じた方向にスクロール方向を設定して、静止画像をスクロールさせて表示することにより、少ないファイルサイズで動きのある画像を表示することができる。
【図面の簡単な説明】
【図１】本発明の実施の形態に係るカーオーディオ装置を示すブロック図である。
【図２】ノーマルモードにおける表示画面を示す平面図である。
【図３】シンクロモードにおける表示画面を示す平面図である。
【図４】スペアナモードにおける表示画面を示す平面図である。
【図５】パノラマモードにおける表示画面を示す平面図である。
【図６】パノラマモードにおける処理手順を示すフローチャートである。
【図７】図６の処理手順における横方向のスクロールの説明に供する平面図である。
【図８】図６の処理手順における縦方向のスクロールの説明に供する平面図である。
【図９】図６の処理手順におけるタイリングの説明に供する平面図である。
【図１０】アニメーション画像との表示の処理に係る処理手順を示すフローチャートである。
【図１１】図１０の処理手順による表示画像を示す平面図である。
【図１２】背景をスクロールしない場合の平面図である。
【符号の説明】
１……カーオーディオ装置、２……メモリカード、３……カードユニット、４……本体ユニット、６、１８……中央処理ユニット、１５……液晶表示パネル、１７……ディスプレイコントローラ、２０……メモリ
【図１】
0003879830.tif 000002
【図２】
0003879830.tif 000003
【図３】
0003879830.tif 000004
【図４】
0003879830.tif 000005
【図５】
0003879830.tif 000006
【図６】
0003879830.tif 000007
【図７】
0003879830.tif 000008
【図８】
0003879830.tif 000009
【図９】
0003879830.tif 000010
【図１０】
0003879830.tif 000011
【図１１】
0003879830.tif 000012
【図１２】
0003879830.tif 000013